(57)【要約】【課題】電力消費を抑制しつつ、ユーザが体感する所要時間を短縮する。【解決手段】制御部（１０）は、携帯端末（１）の移動静止状態を判定する状態判定部（１１）と、状態に応じて閾値を設定する閾値設定部（１２）と、閾値を超えたか否かにより持ち上げ判定する持ち上げ判定部（１３）と、閾値を超え、かつ所定条件が満たされた場合、準備処理を開始する準備処理部（１５）と、表示処理を行う表示制御部（１４）と、を含む。【選択図】図１
2019106577.tif 000002
【特許請求の範囲】
【請求項１】
携帯可能な電子機器を制御する制御装置であって、
前記電子機器の移動静止状態を判定する状態判定部と、
前記状態判定部の判定結果に応じて閾値を設定する閾値設定部と、
前記閾値設定部が設定した前記閾値を超えたか否かにより、前記電子機器が持ち上げられたか否かを判定する持ち上げ判定部と、
前記閾値を超え、かつ前記閾値を超えたときに判定される所定条件が満たされた場合、表示処理の準備処理を開始する準備処理部と、
ユーザ操作を受け付けたときに、前記表示処理を行う表示処理部と、を備えていることを特徴とする制御装置。
【請求項２】
前記準備処理部は、前記閾値を超えたときから、当該閾値を超えた状態で、前記電子機器が持ち上げられていれば前記閾値を超えた状態が続くと考えられる第１所定時間が経過したとき、前記所定条件が満たされたとして前記準備処理を開始することを特徴とする請求項１に記載の制御装置。
【請求項３】
前記準備処理部は、前記閾値を超えたときから、前記第１所定時間より長い第２所定時間が経過したときに、前記準備処理が実行されている場合、当該準備処理を中止することを特徴とする請求項２に記載の制御装置。
【請求項４】
前記状態判定部は、前記電子機器を所持しているユーザが、歩行中であるか、または移動中の車両に乗車中であるか、を判定することを特徴とする請求項１〜３のいずれか１項に記載の制御装置。
【請求項５】
前記準備処理部は、前記状態判定部が、前記電子機器が非収納状態であると判定した場合に、前記第１所定時間が経過した否かを判定することを特徴とする請求項２または３に記載の制御装置。
【請求項６】
前記準備処理部は、前記状態判定部が、前記電子機器が把持状態であると判定した場合に、前記第１所定時間が経過した否かを判定することを特徴とする請求項２または３に記載の制御装置。
【請求項７】
請求項１〜６のいずれか１項に記載の制御装置と、
前記表示処理部の制御により表示を行う表示部と、を備えていることを特徴とする電子機器。
【請求項８】
携帯可能な電子機器を制御する制御装置の制御方法であって、
前記電子機器の移動静止状態を判定する状態判定ステップと、
前記状態判定ステップでの判定結果に応じて閾値を設定する閾値設定ステップと、
前記閾値設定ステップで設定した前記閾値を超えたか否かにより、前記電子機器が持ち上げられたか否かを判定する持ち上げ判定ステップと、
前記閾値を超え、かつ前記閾値を超えたときに判定される所定条件が満たされた場合、表示処理の準備処理を開始する準備処理ステップと、
ユーザ操作を受け付けたときに、前記表示処理を行う表示処理ステップと、を含むことを特徴とする制御装置の制御方法。
【請求項９】
請求項１に記載の制御装置としてコンピュータを機能させるための制御プログラムであって、前記状態判定部、前記閾値設定部、前記持ち上げ判定部、前記準備処理部、および前記表示処理部としてコンピュータを機能させるための制御プログラム。
【発明の詳細な説明】
【技術分野】
【０００１】
本発明は、携帯可能な電子機器を制御する制御装置、制御方法、制御プログラムを記録した記録媒体に関する。
【背景技術】
【０００２】
スマートフォン等の携帯端末は、消費電力を抑制するため、表示部を常時表示はしていない。通常は、ユーザ操作等を受け付けたときに表示部の表示を行い、所定時間、ユーザ操作がなければ、表示部を消灯する。
【０００３】
したがって、携帯端末は、表示部が消灯された状態で、ユーザ操作を受け付けた場合、ユーザ操作を受け付けたときから表示部を表示するための処理を行う。よって、表示部が表示されるまで少し時間がかかってしまう。
【０００４】
携帯端末の表示部における表示処理とは異なるが、テレビのリモートコントロール装置を操作するときにユーザが体感する所要時間を短縮する処理方法が特許文献１に記載されている。
【０００５】
特許文献１には、映像表示装置と、該映像表示装置を遠隔制御するリモートコントロール装置とを含む機器制御システムが記載されている。特許文献１では、リモートコントロール装置が、自装置の動きを検出して第１の信号を送信し、自装置に対する操作を受け付けたときに第２の信号を送信する。そして、映像表示装置は、第１の信号を受信したときに準備動作を行い、第２の信号を受信したときに対応する処理を行う。これにより、予め準備動作を行うことができるので、ユーザがリモートコントロール装置を用いて操作したときに体感する処理時間を短縮することができる。
【先行技術文献】
【特許文献】
【０００６】
【特許文献１】特開２００７−１５８６２１号公報（２００７年６月２１日公開）
【発明の概要】
【発明が解決しようとする課題】
【０００７】
上述の従来技術ではリモートコントロール装置の動きを検出して第１の信号を送信している。リモートコントロール装置は、自宅等の部屋で用いられるものであり、同様の検出処理をユーザが所持したまま移動する可能性の高い携帯端末にそのまま適用することはできない。
ユーザが歩行中、電車、自動車等で移動中の場合にも、携帯端末に動きがあったと誤検出してしまう可能があるためである。誤検出した場合、当該誤検出に基づき準備動作を行ってしまい、電力を無駄に消費してしまう。
【０００８】
本発明の一態様は、ユーザが所持したまま移動する可能性のある携帯端末等において、表示処理について、電力消費を抑制しつつ、ユーザが体感する所要時間を短縮する制御装置等を実現することにある。
【課題を解決するための手段】
【０００９】
前記の課題を解決するために、本発明の一態様に係る制御装置は、携帯可能な電子機器を制御する制御装置であって、前記電子機器の移動静止状態を判定する状態判定部と、前記状態判定部の判定結果に応じて閾値を設定する閾値設定部と、前記閾値設定部が設定した前記閾値を超えたか否かにより、前記電子機器が持ち上げられたか否かを判定する持ち上げ判定部と、前記閾値を超え、かつ前記閾値を超えたときに判定される所定条件が満たされた場合、表示処理の準備処理を開始する準備処理部と、ユーザ操作を受け付けたときに、表示処理を行う表示処理部と、を備えている構成である。
【００１０】
前記の課題を解決するために、本発明に係る制御装置の制御方法は、携帯可能な電子機器を制御する制御装置の制御方法であって、前記電子機器の移動静止状態を判定する状態判定ステップと、前記状態判定ステップでの判定結果に応じて閾値を設定する閾値設定ステップと、前記閾値設定ステップで設定した前記閾値を超えたか否かにより、前記電子機器が持ち上げられたか否かを判定する持ち上げ判定ステップと、前記閾値を超え、かつ前記閾値を超えたときに判定される所定条件が満たされた場合、表示処理の準備処理を開始する準備処理ステップと、ユーザ操作を受け付けたときに、前記表示処理を行う表示処理ステップと、を含む方法である。
【発明の効果】
【００１１】
本発明の一態様によれば、表示処理を行う前に、準備処理を開始するので、準備処理を行わない場合と比較して、ユーザ操作から表示処理が終わるまでの時間を短縮することができるという効果を奏する。また、準備処理は、電子機器の状態に応じて設定された閾値を超え、かつ所定条件が満たされた場合に行われるので、準備処理を行うべき状況か否かを適切に判断することができ、無駄に準備処理が行われることを防止することができるという効果を奏する。よって、表示処理について、電力消費を抑制しつつ、ユーザが体感する所要時間を短縮することができるという効果を奏する。
【図面の簡単な説明】
【００１２】
【図１】本実施形態に係る携帯端末の要部構成を示すブロック図である。
【図２】表示準備処理のタイミングを説明するための図である。
【図３】携帯端末における処理の流れを示すフローチャートである。
【図４】他の実施形態における処理の流れを説明するための図である。
【図５】他の実施形態における処理の流れを説明するための図である。
【図６】他の実施形態における処理の流れを説明するための図である。
【図７】他の実施形態における表示準備処理のタイミングを説明するための図である。
【図８】他の実施形態における携帯端末における処理の流れを示すフローチャートである。
【発明を実施するための形態】
【００１３】
〔実施形態１〕
〔概要〕
以下、本発明の一実施形態について、詳細に説明する。本実施形態に係る携帯端末（電子機器）１は、自端末が持ち上げられたか否かを判定する。また、自端末の移動静止状態に応じて、持ち上げられたか否かを判定するための閾値を変更する。自端末の移動静止状態とは、自端末を所持しているユーザが静止中であるか、または移動中であるか、すなわち自端末が静止中であるか、または移動中であるかという状態のことである。
【００１４】
そして、携帯端末１は、自端末が持ち上げられたか否かを判定するためのセンサ値が閾値を超えた場合、表示部６０の表示準備処理を行う。センサ値とは、後述するセンサ部３０が検知した値である。その後、電源キー４０が押下されると、表示部６０の表示処理を実行する。表示準備処理とは、表示部６０を表示させる処理のうち、表示部６０に表示指示を送信するまでの処理のことを言う。例えば、ロック画面、ホーム画面等のユーザ設定に応じた表示用画像の生成処理等である。よって、表示準備処理が完了すれば、表示指示を表示部６０に送信するのみで表示部６０を表示させることができる。
【００１５】
これにより、表示部６０の表示処理を行う場合に、予め表示準備処理を行っているので、表示準備処理を行っていない場合と比較して、実際に表示部６０が表示されるまでの時間を短縮することができる。すなわち、ユーザが電源キー４０を押下してから実際に表示部６０が表示されるまでの時間を短縮することができる。
【００１６】
また、携帯端末１の状態に応じて、持ち上げられたか否かを判定するための閾値を変更するので、携帯端末１がどのような状態であっても、適切に自端末が持ち上げられたか否かを判定することができる。これにより、実際には持ち上げられていないにもかかわらず、移動中のために自端末が持ち上げられたと誤って判定され、表示準備処理が行われることにより無駄に電力を消費してしまうということを防止することができる。
【００１７】
〔携帯端末１の構成〕
次に、図１を参照して、本実施形態に係る携帯端末１について説明する。図１は、携帯端末１の要部構成を示すブロック図である。図１に示すように、携帯端末１は、制御部（制御装置）１０、記憶部２０、センサ部３０、電源キー４０、静電キー５０、および表示部６０を含む。
【００１８】
制御部１０は、携帯端末１における処理を統括して制御するものである。また、制御部１０は、表示準備処理を制御するものであり、状態判定部１１、閾値設定部１２、持ち上げ判定部１３、および表示制御部（表示処理部）１４を含む。
【００１９】
状態判定部１１は、携帯端末１の移動静止状態（静止状態、移動状態）を判定し、その結果を閾値設定部１２に通知する。携帯端末１の移動静止状態の判定は、例えば加速度センサ、ジャイロセンサなどのセンサ出力値を用いた判定方法など各種の公知技術を用いて可能であるので、その説明は省略する。
【００２０】
なお、本実施形態では、状態判定部１１は、静止中であるか移動中であるかを判定するものとして記載するが、これに限られず、移動の内容を細分化して判定するものであってもよい。例えば、状態判定部１１は、歩行中、自転車で移動中、自動車で移動中、電車で移動中等の判定するものであってもよい。これにより、後述する閾値設定部１２は、より細かい状態に応じた閾値を設定することができる。
【００２１】
閾値設定部１２は、携帯端末１が持ち上げられたか否かを判定する持ち上げ判定に用いる閾値を、状態判定部１１から通知された携帯端末１の状態に応じ、記憶部２０に格納されている閾値データを用いて設定する。なお、閾値設定部１２が設定する閾値は、後述するセンサ部３０に含まれるセンサの種類に応じて異なる。例えば、センサ部３０に含まれるセンサが加速度センサであれば、閾値は加速度値に対応するものとなる。また、加速度センサを用いる場合、閾値設定部１２が設定する閾値を、携帯端末１が静止中の場合はＴｈｓ、携帯端末１が移動中の場合はＴｈｍとすると、Ｔｈｍ＞Ｔｈｓとなる。移動中は、持ち上げ判定に用いるセンサの値が変動するため、静止中よりも閾値を高く設定することにより、持ち上げがあったと誤って判定することを防止することができる。
【００２２】
また、状態判定部１１が移動中の状態を細分化して判定する場合、移動中のうち、歩行中の閾値をＴｈｍ１，自動車で移動中の閾値をＴｈｍ２とした場合、Ｔｈｍ１＞Ｔｈｍ２＞Ｔｈｓとなる。歩行中の方が、自動車で移動中よりも加速度センサの変動量が大きくなる傾向があるためである。
【００２３】
持ち上げ判定部１３は、後述するセンサ部３０から受信したセンサ値が、閾値設定部１２によって設定された閾値を超えたか否かに基づいて、携帯端末１が持ち上げられたか否かを判定する。すなわち、持ち上げ判定部１３は、持ち上げ閾値条件が成立したか否かに応じて携帯端末１が持ち上げられたか否かを判定する。また、持ち上げ判定部１３は、センサ部３０から受信したセンサ値が、閾値設定部１２によって設定された閾値を超えたとき、その旨を表示制御部１４に通知する。上述したように、センサ値とは、センサ部３０により検知された値である。例えば、センサ部３０が加速度センサであれば、センサ値＝加速度値である。
【００２４】
表示制御部１４は、表示部６０の表示を制御するものであり、準備処理部１５を含む。
【００２５】
準備処理部１５は、表示部６０を表示させる前の表示灯準備処理を実行するものであり、第１タイマ１６および第２タイマ１７を含む。具体的には、準備処理部１５は、センサ部３０から受信したセンサ値が、閾値設定部１２によって設定された閾値を超えた旨、持ち上げ判定部１３から通知されたとき、第１タイマ１６および第２タイマ１７を始動させる。そして、前記センサ値が前記閾値を超えたまま第１タイマ１６が第１所定時間を経過したとき、表示準備処理を開始する。換言すれば、第１タイマ１６が第１所定時間を経過したとき準備判定条件（所定条件）が成立し、準備処理部１５は表示準備処理を開始する。なお、第１タイマ１６は、第１所定時間経過前に、センサ値が閾値を下回った場合、リセットされる。第１所定時間は、例えば、１００ｍｓ（ミリ秒）である。
【００２６】
また、準備処理部１５は、第２タイマ１７が第２所定時間を経過する前に、後述する電源キー４０の押下を受け付けなかった場合、表示準備処理を中止する。第２所定時間は、第１所定時間よりも長い時間であり、例えば、２ｓ（秒）である。
【００２７】
また、準備処理部１５は、第２タイマ１７が第２所定時間経過したときに、第２タイマ１７をリセットするとともに、第１タイマ１６が稼働中の場合、第１タイマ１６もリセットする。また、準備処理部１５は、第２タイマ１７が第２所定時間経過したときに、表示準備処理が開始されていた場合、中止する。
【００２８】
記憶部２０は、閾値データを含む各種データを格納している。記憶部２０は、フラッシュメモリ、ＲＯＭ（Read Only Memory）などの不揮発性のデバイスと、ＲＡＭ（Random Access Memory）などの揮発性のデバイスとによって構成される。
【００２９】
センサ部３０は、携帯端末１の状態を検出するために用いるセンサである。センサ部３０に含まれるセンサの例としては、加速度センサ、ジャイロセンサ、地磁気センサ、近接センサ、照度センサ、静電センサ、圧電センサ、気圧センサ等が挙げられる。なお、本実施形態では、必ずしもこれらのセンサ全てを含む必要はなく、必要に応じて適切なセンサを備えていればよい。
【００３０】
電源キー４０は、押下されることにより、携帯端末１の電源のオン、オフ、および表示部６０の表示のオン、オフを切り替えるものである。より詳細には、電源キー４０が長押しされることにより、携帯端末１の電源のオン、オフが切り替えられ、電源キー４０が短押しされることにより、表示部６０の表示のオン、オフが切り替えられる。
【００３１】
静電キー５０は、携帯端末１に対する操作を受け付けるものである。具体的には、タッチパネルが挙げられる。
【００３２】
表示部６０は、各種情報を表示するものである。具体的な例としては、液晶ディスプレイ、有機ＥＬ（Electro Luminescence）ディスプレイ等が挙げられる。
【００３３】
〔表示準備処理のタイミング〕
次に、図２を参照して、携帯端末１における表示準備処理のタイミングについて説明する。図２は、表示準備処理のタイミングを説明するための図である。なお、図２では、表示部６０が表示している状態を初期状態としている。
【００３４】
図２に示すように、表示部６０が表示している状態で、電源キー４０が押下（短押し）されると、表示部６０は消灯する。このとき、閾値設定部１２は、閾値を、状態判定部１１が判定した携帯端末１の状態に応じて設定している。その後、ユーザが携帯端末１を持ち上げると、持ち上げ判定部１３は持ち上げ判定を行い、センサ部３０から送信されたセンサ値が閾値を超えると、持ち上げ閾値条件が成立し、第１タイマ１６および第２タイマ１７が開始する。
【００３５】
持ち上げ閾値条件が成立したまま、第１タイマ１６が第１所定時間を経過すると、準備判定条件が成立し、準備処理部１５が表示準備処理を開始する。
【００３６】
そのまま、第２タイマ１７が第２所定時間を経過する前に、ユーザによる電源キー４０の押下を受け付けると、表示制御部１４が表示部６０に表示指示を送信し、表示部６０は表示処理を開始する。なお、第２タイマが稼働中は、閾値設定部１２は閾値を変更しない。
【００３７】
これにより、ユーザが電源キー４０を押下したときに、すぐに、表示部６０に対し表示指示を送信することができるので、ユーザが電源キー４０を押下したときから実際に表示部６０が表示されるまでの時間は、表示部６０における処理時間のみとなる。一方、予め表示準備処理を行わない場合、ユーザが電源キー４０を押下したときから実際に表示部６０が表示されるまでの時間は、表示制御部１４における表示準備処理と表示部６０における処理時間との合計となる。
【００３８】
よって、本実施形態によれば、ユーザが電源キー４０を押下してから表示部６０が表示されるまでにユーザが体感する時間を短縮することができる。
【００３９】
〔携帯端末１における処理の流れ〕
次に、図３を参照して、携帯端末１における処理の流れを説明する。図３は、携帯端末１における処理の流れを示すフローチャートである。
【００４０】
図３に示すように、携帯端末１における処理では、まず、状態判定部１１が携帯端末１の状態を判定する（Ｓ１０１、状態判定ステップ）。次に、閾値設定部１２が状態判定部１１が判定した状態に応じて、持ち上げ判定に用いる閾値を設定する（Ｓ１０２、閾値設定ステップ）。そして、持ち上げ判定部１３は、センサ部３０から送信されたセンサ値が閾値以上か否かを判定し（Ｓ１０３、持ち上げ判定ステップ）、閾値以上であれば（Ｓ１０３でＹＥＳ）、準備処理部１５は第１タイマ１６および第２タイマ１７を開始させる（Ｓ１０４）。
【００４１】
そして、センサ部３０から送信されたセンサ値が閾値以上のまま第１タイマ１６が第１所定時間を経過した場合（Ｓ１０５でＹＥＳ）、準備処理部１５が表示準備処理を開始する（Ｓ１０６、準備処理ステップ）。一方、第１タイマ１６が第１所定時間内で、センサ部３０から送信されたセンサ値が閾値を下回った場合（Ｓ１０５でＮＯ）、準備処理部１５は第１タイマ１６および第２タイマ１７をリセットし（Ｓ１２１）、ステップＳ１０３に戻る。
【００４２】
その後、ユーザ操作を受け付けると（Ｓ１０７でＹＥＳ）、表示制御部１４は表示部６０に表示指示を送信し、表示部６０は表示処理を行う（Ｓ１０８、表示処理ステップ）。ユーザ操作としては、電源キー４０の押下、静電キー５０への接触、ジェスチャーの成立等が挙げられる。一方、ユーザ操作を受け付ける前に（Ｓ１０７でＮＯ）、第２タイマ１７が第２所定時間を経過すると（Ｓ１３１でＮＯ）、第１タイマ１６および第２タイマ１７をリセットして（Ｓ１３２）、ステップＳ１０１に戻る。
【００４３】
以上が、本実施形態における携帯端末１の処理の流れである。
【００４４】
以上のように、本実施形態に係る携帯端末１によれば、携帯端末１の状態に応じた閾値を用いて持ち上げ判定を行い、センサ値が閾値を超えたときに表示準備処理を開始するので、表示準備処理を無駄に行うことにより電力を消費してしまうことを抑制できるとともに、ユーザ操作から表示までの処理時間を短縮することができる。
【００４５】
〔実施形態２〕
本発明の他の実施形態について、以下に説明する。なお、説明の便宜上、前記実施形態にて説明した部材と同じ機能を有する部材については、同じ符号を付記し、その説明を繰り返さない。
【００４６】
本実施形態では、準備処理部１５が第１タイマ１６および第２タイマ１７を開始させる条件に、上述したセンサ部３０から送信されたセンサ値が閾値以上となったかという条件に、携帯端末１が非収納状態にあるかという条件を加える。非収納状態とは、携帯端末１がかばん等に収納されていない状態のことを言う。
【００４７】
携帯端末１が収納状態にあるか、または非収納状態にあるかの判定は、例えば、センサ部３０に近接センサ、静電センサ、および照度センサを設け、これらの出力結果を用いて、状態判定部１１が行うことができる。なお、近接センサ、静電センサ、および照度センサの全てが必須ということではなく、何れか１つ、もしくは２つ以上の組み合わせであってもよい。
【００４８】
そして、本実施形態では、状態判定部１１において、携帯端末１が非収納状態にあるか否かを判定し、その結果を表示制御部１４に通知する。
【００４９】
表示制御部１４の準備処理部１５は、センサ部３０から受信したセンサ値が、閾値設定部１２によって設定された閾値を超えた旨、持ち上げ判定部１３から通知され、かつ、携帯端末１が非収納状態にあると通知されたとき、第１タイマ１６および第２タイマ１７を開始させる。
【００５０】
次に、図４を参照して、本実施形態における処理の流れを説明する。本実施形態では、上述した実施形態１における図３のフローチャートの、ステップＳ１０３でＹＥＳであれば、その次に、ステップＳ２０１を設け、携帯端末１が非収納状態にあるか否かを判定する。そして、非収納状態にある場合（Ｓ２０１でＹＥＳ）、ステップＳ１０４に進み、非収納状態にない場合（Ｓ２０１でＮＯ）、ステップＳ１０１に進む。
【００５１】
携帯端末１がかばん等に収納されている場合、ユーザが携帯端末１を操作するということは考えにくい。よって、本実施形態によれば、ノイズ等により携帯端末１が持ち上げられたと判定された場合であっても、携帯端末１がかばん等に収納されていれば、表示準備処理を開始しないので、表示準備処理に伴う電力の消費を抑制することができる。
【００５２】
〔実施形態３〕
本発明の他の実施形態について、以下に説明する。なお、説明の便宜上、前記実施形態にて説明した部材と同じ機能を有する部材については、同じ符号を付記し、その説明を繰り返さない。
【００５３】
本実施形態では、準備処理部１５が第１タイマ１６および第２タイマ１７を開始させる条件に、実施形態１に上述したセンサ部３０から送信されたセンサ値が閾値以上となったかという条件に、携帯端末１が把持状態にあるかという条件を加える。把持状態とは、携帯端末１がユーザに把持されている状態のことを言う。
【００５４】
携帯端末１が把持状態にあるか否かの判定は、例えば、センサ部３０に近接センサ、静電センサ、および圧電センサを設け、これらの出力結果を用いて、状態判定部１１が行うことができる。なお、近接センサ、静電センサ、および圧電センサの全てが必須ということではなく、何れか１つ、もしくは２つ以上の組み合わせであってもよい。
【００５５】
そして、本実施形態では、状態判定部１１において、携帯端末１が把持状態にあるか否かを判定し、その結果を表示制御部１４に通知する。
【００５６】
表示制御部１４の準備処理部１５は、センサ部３０から受信したセンサ値が、閾値設定部１２によって設定された閾値を超えた旨、持ち上げ判定部１３から通知され、かつ、携帯端末１が把持状態にあると通知されたとき、第１タイマ１６および第２タイマ１７を開始させる。
【００５７】
次に、図５を参照して、本実施形態における処理の流れを説明する。本実施形態では、上述した実施形態１における図３のフローチャートの、ステップＳ１０３でＹＥＳであれば、その次に、ステップＳ３０１を設け、携帯端末１が把持状態にあるか否かを判定する。そして、把持状態にある場合（Ｓ３０１でＹＥＳ）、ステップＳ１０４に進み、把持状態にない場合（Ｓ３０１でＮＯ）、ステップＳ１０１に進む。
【００５８】
携帯端末１がそもそも把持されていない場合、ユーザが携帯端末１を操作するということは考えにくい。よって、本実施形態によれば、ノイズ等により携帯端末１が持ち上げられたと判定された場合であっても、携帯端末１が把持されていなければ、表示準備処理を開始しないので、表示準備処理に伴う電力の消費を抑制することができる。
【００５９】
〔実施形態４〕
本発明の他の実施形態について、以下に説明する。なお、説明の便宜上、前記実施形態にて説明した部材と同じ機能を有する部材については、同じ符号を付記し、その説明を繰り返さない。
【００６０】
本実施形態では、上述した実施形態２、および実施形態３の両方を行う。すなわち、準備処理部１５が第１タイマ１６および第２タイマ１７を開始させる条件に、実施形態１に上述したセンサ部３０から送信されたセンサ値が閾値以上となったかという条件に、携帯端末１が非収納状態にあるかという条件、および携帯端末１が把持状態にあるかという条件を加える。
【００６１】
本実施形態では、状態判定部１１において、携帯端末１が非収納状態にあるか否か、および携帯端末１が把持状態にあるかを判定し、その結果を表示制御部１４に通知する。
【００６２】
表示制御部１４の準備処理部１５は、センサ部３０から受信したセンサ値が、閾値設定部１２によって設定された閾値を超えた旨、持ち上げ判定部１３から通知され、かつ、携帯端末１が非収納状態、および把持状態にあると通知されたとき、第１タイマ１６および第２タイマ１７を開始させる。
【００６３】
次に、図６を参照して、本実施形態における処理の流れを説明する。本実施形態では、上述した実施形態１における図３のフローチャートの、ステップＳ１０３でＹＥＳであれば、その次に、ステップＳ４０１、Ｓ４０２を設け、携帯端末１が収納状態、把持状態にあるか否かを判定する。そして、非収納状態にあり（Ｓ４０１でＹＥＳ）、かつ把持状態にある場合（Ｓ４０２でＹＥＳ）、ステップＳ１０４に進み、非収納状態にない場合（Ｓ４０１でＮＯ）、および把持状態にない場合（Ｓ４０２でＮＯ）、ステップＳ１０４に進む。
【００６４】
上述したように、携帯端末１がかばん等に収納されている場合、および携帯端末１が把持されてない場合、ユーザが携帯端末１を操作するということは考えにくい。よって、本実施形態によれば、このような場合に、表示準備処理を開始しないので、表示準備処理に伴う電力の消費を抑制することができる。
【００６５】
携帯端末１は、ユーザが持ち歩くため、様々な状態となり得る。よって、表示準備処理のトリガとなる条件によっては頻繁に表示準備処理が開始されてしまうということになる。例えば、端末の動きのみを条件とした場合、歩行中、車両に乗車中などの移動中に端末は動いたり振動したりするため、条件が成就してしまう可能性がある。また、近接センサによる近接検知を条件とした場合、ポケットや鞄の中に端末を入れていたときに近接センサが近接検知を行い、条件が成就する可能性がある。また、静電方式の接触センサによる接触検知を条件とした場合、金属性の物質（金属机、缶など）や水（風呂、雨など）に反応して接触が検知され、条件が成就する可能性がある。また抵抗方式の接触センサによる接触検知を条件とした場合、ズボンのポケットに入れ椅子に座った時、鞄の中で本などに押された時、携帯電話用のカバーを装着した時などに接触が検知され、条件が成就する可能性がある。
【００６６】
本実施形態では、表示準備処理のトリガとなる条件を複数用いているため、上述した弊害を防止することができる。
【００６７】
なお、上述した実施形態では、表示処理を行う場合を例に挙げて説明したが、携帯端末１で行われる処理はこれに限られるものではない。ユーザ操作に基づいて行われる処理であれば、どのような処理であってもよい。また、ユーザがよく行う処理の準備処理を行う構成であってもよい。例えば、ユーザが携帯端末１でよく用いるアプリケーションがある場合、当該アプリケーションを起動するための準備処理を行う構成であってもよい。
【００６８】
〔実施形態５〕
本発明の他の実施形態について、以下に説明する。なお、説明の便宜上、前記実施形態にて説明した部材と同じ機能を有する部材については、同じ符号を付記し、その説明を繰り返さない。
【００６９】
上述した実施形態では、条件が成就したときに、第１タイマ１６および第２タイマ１７を同時に開始した。本実施形態では、第１タイマ１６の開始条件を、上述した実施形態と同じとしたまま、第２タイマ１７の開始条件を、センサ値が閾値を超えたまま第１タイマ１６が第１所定時間を経過したとき、すなわち、準備判定条件が成立したときとする。
【００７０】
図７、８を参照して説明する。図７は、本実施形態における表示準備処理のタイミングを説明するための図である。また、図８は、本実施形態における携帯端末における処理の流れを示すフローチャートである。
【００７１】
図７に示すように、本実施形態では第２タイマ１７の開始時点が、第１タイマ１６が開始してから第１所定時間経過後となっている。
【００７２】
また、図８に示すように、本実施形態では、図３のステップＳ１０４に代えて、Ｓ１０４ａが入り、第１タイマ１６のみ開始している。そして、ステップＳ１０６のあとに第２タイマ１７が開始する（Ｓ１５１）。なお、ステップＳ１０４ａにて第１タイマ１６のみが開始することに伴い、図３のステップＳ１２１の内容は第１タイマ１６のみをリセットすることに変更される（Ｓ１２１ａ）。
【００７３】
以上のように、第２タイマ１７の開始時点を準備判定条件が成立したときとすることで、第２タイマ１７の動作時間を短くすることができる。これにより、消費電力を削減できる。また、ハードタイマを使用する場合、タイマそのものは１つでよいため、制御を行うためのマイコンを小型化でき、コストダウンも期待できる。
【００７４】
〔実施形態６〕
〔ソフトウェアによる実現例〕
携帯端末１の制御ブロック（特に制御部１０（状態判定部１１、閾値設定部１２、持ち上げ判定部１３、表示制御部１４、準備処理部１５、第１タイマ１６、第２タイマ１７））は、集積回路（ＩＣチップ）等に形成された論理回路（ハードウェア）によって実現してもよいし、ソフトウェアによって実現してもよい。
【００７５】
後者の場合、携帯端末１は、各機能を実現するソフトウェアであるプログラムの命令を実行するコンピュータを備えている。このコンピュータは、例えば少なくとも１つのプロセッサ（制御装置）を備えていると共に、前記プログラムを記憶したコンピュータ読み取り可能な少なくとも１つの記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００７６】
〔まとめ〕
本発明の態様１に係る制御装置は、携帯可能な電子機器を制御する制御装置であって、前記電子機器の移動静止状態を判定する状態判定部と、前記状態判定部の判定結果に応じて閾値を設定する閾値設定部と、前記閾値設定部が設定した前記閾値を超えたか否かにより、前記電子機器が持ち上げられたか否かを判定する持ち上げ判定部と、前記閾値を超え、かつ前記閾値を超えたときに判定される所定条件が満たされた場合、表示処理の準備処理を開始する準備処理部と、ユーザ操作を受け付けたときに、前記表示処理を行う表示処理部と、を備えている構成である。
【００７７】
前記の構成によれば、表示処理を行う前に、準備処理を開始するので、準備処理を行わない場合と比較して、ユーザ操作から表示処理が終わるまでの時間を短縮することができる。
【００７８】
また、準備処理は、電子機器の移動静止状態に応じて設定された閾値を超え、かつ所定条件が満たされた場合に行われるので、準備処理を行うべき状況か否かを適切に判断することができ、無駄に準備処理が行われることを防止することができる。
【００７９】
よって、表示処理について、電力消費を抑制しつつ、ユーザが体感する所要時間を短縮することができる。
【００８０】
本発明の態様２に係る制御装置は、前記の態様１において、前記準備処理部は、前記閾値を超えたときから、当該閾値を超えた状態で、前記電子機器が持ち上げられていれば前記閾値を超えた状態が続くと考えられる第１所定時間が経過したとき、前記所定条件が満たされたとして前記準備処理を開始する構成としてもよい。
【００８１】
前記の構成によれば、閾値を超えた状態が第１所定時間続いたときに、準備処理を開始する。これにより、ノイズ等により閾値を超えた場合であっても、準備処理を開始してしまうということを防止することができる。これにより、無駄に準備処理を行い、電力を消費してしまうことを防止することができる。
【００８２】
ここで第１所定時間とは、電子機器が持ち上げられていれば、判定条件を満たした状態が続くであろうと考えられる時間である。
【００８３】
本発明の態様３に係る制御装置は、前記の態様２において、前記準備処理部は、前記閾値を超えたときから、前記第１所定時間より長い第２所定時間が経過したときに、前記準備処理が実行されている場合、当該準備処理を中止する構成としてもよい。
【００８４】
準備処理を開始した場合であっても、ユーザがその後の操作を行わず、表示処理が行われない場合がある。前記の構成によれば、第２タイマが第２所定時間を経過したときに、準備処理が実行されている場合、当該準備処理を中止するので、不要であるにもかかわらず準備処理を続けてしまうことを防止することができる。
【００８５】
ここで、第２所定時間とは、ユーザが電子機器を持ち上げてから、次の操作を行うであろうと考えられる時間である。
【００８６】
本発明の態様４に係る制御装置は、前記の態様１〜３のいずれかにおいて、前記状態判定部は、前記電子機器を所持しているユーザが、歩行中であるか、または移動中の車両に乗車中であるか、を判定する構成としてもよい。
【００８７】
前記の構成によれば、電子機器の状態を細かく判定することができるので、状態に応じた閾値を適切に設定することができる。
【００８８】
本発明の態様５に係る制御装置は、前記の態様２または３において、前記準備処理部は、前記状態判定部が、前記電子機器が非収納状態であると判定した場合に、前記第１所定時間が経過した否かを判定する構成としてもよい。
【００８９】
電子機器が収納状態の場合、ユーザが操作する可能は低いので、準備処理を行っても無駄となる可能性が高い。前記の構成によれば、電子機器が収納状態の場合は、そもそも準備処理を開始しない。よって、無駄になる可能性の高い準備処理を行わないとすることができるので、電力消費を抑制することができる。
【００９０】
本発明の態様６に係る制御装置は、前記の態様２または３において、前記準備処理部は、前記状態判定部が、前記電子機器が把持状態であると判定した場合に、前記第１所定時間が経過した否かを判定する構成としてもよい。
【００９１】
電子機器が把持状態でない場合、ユーザが操作する可能は低いので、準備処理を行っても無駄となる可能性が高い。前記の構成によれば、電子機器が把持状態でない場合は、そもそも準備処理を開始しない。よって、無駄になる可能性の高い準備処理を行わないとすることができるので、電力消費を抑制することができる。
【００９２】
本発明の態様７に係る電子機器は、前記の態様１〜６のいずれかに記載の制御装置と、前記表示処理部の制御により表示を行う表示部と、を備えている構成である。前記の構成によれば、上述した効果と同様の効果を奏する。
【００９３】
本発明の態様８に係る制御装置の制御方法は、携帯可能な電子機器を制御する制御装置の制御方法であって、前記電子機器の移動静止状態を判定する状態判定ステップと、前記状態判定ステップでの判定結果に応じて閾値を設定する閾値設定ステップと、前記閾値設定ステップで設定した前記閾値を超えたか否かにより、前記電子機器が持ち上げられたか否かを判定する持ち上げ判定ステップと、前記閾値を超え、かつ前記閾値を超えたときに判定される所定条件が満たされた場合、表示処理の準備処理を開始する準備処理ステップと、ユーザ操作を受け付けたときに、前記表示処理を行う表示処理ステップと、を含む方法である。前記の方法によれば、上述した効果と同様の効果を奏する。
【００９４】
本発明の各態様に係る制御装置は、コンピュータによって実現してもよく、この場合には、コンピュータを前記制御装置が備える各部（ソフトウェア要素）として動作させることにより前記制御装置をコンピュータにて実現させる制御装置の制御プログラム、およびそれを記録したコンピュータ読み取り可能な記録媒体も、本発明の範疇に入る。
【００９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９６】
１  携帯端末（電子機器）
１０  制御部（制御装置）
１１  状態判定部
１２  閾値設定部
１３  持ち上げ判定部
１４  表示制御部（表示処理部）
１５  準備処理部
１６  第１タイマ
１７  第２タイマ
２０  記憶部
３０  センサ部
４０  電源キー
５０  静電キー
６０  表示部
【図１】
2019106577.tif 000003
【図２】
2019106577.tif 000004
【図３】
2019106577.tif 000005
【図４】
2019106577.tif 000006
【図５】
2019106577.tif 000007
【図６】
2019106577.tif 000008
【図７】
2019106577.tif 000009
【図８】
2019106577.tif 000010